(57)【要約】【課題】デジタル放送のＣＡＴＶ再送信において、再送信設備を共同利用し、信号配信局、参加局毎のサービス構成を容易に構築し、安価なＣＡＴＶ再送信システムを実現すること。【解決手段】ＣＡＴＶ再送信システムにおいて、管理装置は各エリアに対応する番組配列情報を生成し、受信機はエリアに応じた番組配列情報が送出される再送信装置からの番組配列情報を選択取得する番組配列情報選択手段を備える。信号配信局から配信する信号の番組配列情報を信号配信局において信号配信局や参加局毎のサービス構成に編集し、受信機では対応した番組配列情報を選択受信する。【選択図】図１
2005354337.tif 000002
【特許請求の範囲】
【請求項１】
複数のエリアにデジタル放送を再送信する再送信装置と、前記再送信装置で受信したデジタル放送の番組配列情報を第二の番組配列情報に変換し前記再送信装置に設定する管理装置と、前記再送信装置から再送信されたデジタル放送を受信可能な受信機とを備えるＣＡＴＶ再送信システムにおいて、前記管理装置は各エリアに対応する番組配列情報を生成し、前記受信機はエリアに応じた番組配列情報が送出される再送信装置からの番組配列情報を選択取得する番組配列情報選択手段を備えることを特徴とするＣＡＴＶ再送信システム。
【請求項２】
複数のエリアにデジタル放送を再送信する第一の再送信装置と、各エリア内においてローカルのデジタル放送を再送信する第二の再送信装置と、前記第一の再送信装置および前記第二の再送信装置が受信したデジタル放送の番組配列情報を第二の番組配列情報に変換し前記第一の再送信装置および前記第二の再送信装置に設定する管理装置と、前記第一の再送信装置および前記第二の再送信装置から再送信されたデジタル放送を受信可能な受信機とを備えるＣＡＴＶ再送信システムにおいて、前記管理装置は各エリアに対応する番組配列情報を生成し、前記受信機はエリアに応じた番組配列情報が送出される再送信装置からの番組配列情報を選択取得する番組配列情報選択手段を備えることを特徴とするＣＡＴＶ再送信システム。
【請求項３】
請求項１または請求項２に記載のＣＡＴＶ再送信システムにおいて、前記管理装置は、生成したエリア毎の少なくとも１つ以上の前記第二の番組配列情報を、すべて前記再送信装置に設定し、前記再送信装置ではすべてのエリアに対応した前記第二の番組配列情報を送出することを特徴とするＣＡＴＶ再送信システム。
【請求項４】
請求項１または請求項２に記載のＣＡＴＶ再送信システムにおいて、前記管理装置は、生成した少なくとも１つ以上の前記第二の番組配列情報のうち任意に指定可能な１つを選択して前記再送信装置に設定し、前記再送信装置では１つのエリアに対応した前記第二の番組配列情報のみを送出することを特徴とするＣＡＴＶ再送信システム。
【請求項５】
請求項１〜請求項５のいずれか一項に記載のＣＡＴＶ再送信システムにおいて、前記管理装置が生成する前記第二の番組配列情報は、エリアへの対応付けを前記第二の番組配列情報のネットワークＩＤを指定して生成することを特徴とするＣＡＴＶ再送信システム。
【請求項６】
請求項１〜請求項５のいずれか一項に記載のＣＡＴＶ再送信システムにおいて、前記受信機は、前記第二の番組配列情報の選択取得のために、前記第二の番組配列情報が送出される周波数を指定する番組配列情報取得周波数の選択手段と前記第二の番組配列情報のネットワークＩＤを指定する番組配列情報ネットワークＩＤ選択手段を備え、前記周波数と前記ネットワークＩＤの少なくとも１つを指定して番組配列情報を取得することを特徴とするＣＡＴＶ再送信システム。
【請求項７】
請求項１〜請求項６のいずれか一項に記載のＣＡＴＶ再送信システムにおいて、前記第二の番組配列情報は、ＮＩＴ（Ｎｅｔｗｏｒｋ  Ｉｎｆｏｒｍａｔｉｏｎ  Ｔａｂｌｅ）であることを特徴とするＣＡＴＶ再送信システム。
【請求項８】
請求項１〜請求項６のいずれか一項に記載のＣＡＴＶ再送信システムにおいて、前記第二の番組配列情報は、ＥＩＴ（Ｅｖｅｎｔ  Ｉｎｆｏｒｍａｔｉｏｎ  Ｔａｂｌｅ）であることを特徴とするＣＡＴＶ再送信システム。
【請求項９】
請求項１〜請求項６のいずれか一項に記載のＣＡＴＶ再送信システムにおいて、前記第二の番組配列情報は、ＳＤＴ（Ｓｅｒｖｉｃｅ  Ｄｅｓｃｒｉｐｔｉｏｎ  Ｔａｂｌｅ）であることを特徴とするＣＡＴＶ再送信システム。
【発明の詳細な説明】
【技術分野】
【０００１】
本発明は、デジタル放送のＣＡＴＶへの再送信システムにおいて、広域放送の再送信信号へのローカル局放送の挿入や、広域放送の特定の放送をローカル局で差し替えて再送信する仕組みを簡易に実現するＣＡＴＶ再送信システムに関するものである。
【背景技術】
【０００２】
ケーブルテレビ局では、現在放送されているＢＳデジタル放送、東経１１０度ＣＳデジタル放送、地上デジタル放送などのデジタル放送をＣＡＴＶでも視聴可能にするデジタル放送の再送信サービスを行っている。
【０００３】
また最近では、複数のケーブルテレビ局の再送信設備の共同利用などが進められ、ひとつのケーブルテレビ局（信号配信局）に設置された再送信設備から再送信信号が配信され、広範囲のエリア（参加局）に再送信サービスが提供されている。
【０００４】
図１０はＣＡＴＶ再送信システムにおいて信号配信局から参加局へ再送信信号を配信する場合のシステム構成の一例である。１００１はデジタル放送を再送信する再送信装置１０１１〜１０１３を設置し、再送信設備を共同利用する他のＣＡＴＶ局へ再送信信号を配信する信号配信局で、１００２〜１００３は信号配信局１００１の信号配信を受け取る参加局である。１０１１〜１０１３は再送信装置で、デジタル放送を受信しＣＡＴＶに適したフォーマットに変換し再送信を行う装置である。１０２１〜１０２３はＣＡＴＶの再送信に対応したデジタル受信機である。信号配信局１００１は、受信した広域放送１〜３を再送信装置１〜３によりＣＡＴＶ網へ再送信する。参加局１００２、１００３は信号配信局１００１からの信号を受信し、自局のサービスエリアである地域Ｂ、地域Ｃにそれぞれ再送信信号をそのまま送出する。地域Ａ〜Ｃにはすべて同一の信号が配信されるため、地域Ａ〜Ｃに設置された受信機１０２１〜１０２３はすべて同一のサービスを受信することが出来る。
【０００５】
このような構成において、例えば、参加局１００３において信号配信局に設置される再送信装置１０３で受信される広域放送３のサービスのみを受信機１０２３において提供しない（視聴制限を行いたい）場合について考える。再送信システムにおける受信機での番組選局は再送信装置から送信される番組選局情報（ＮＩＴ）により制御されており、また図のようなシステム構成の場合には、すべての地域で同一のＮＩＴを伝送しているので、前記のような視聴制限を行いたい場合は図１３に示すように、視聴制限を行う放送に対して、ＮＩＴから番組情報を削除し、新しいＮＩＴ情報に変換するＮＩＴ情報変換方法が開発されている（例えば、特許文献１）。図１３において、ＮＩＴ情報１３０１は信号配信局から送出されるＮＩＴ情報であり、ＮＩＴ情報１３０２は、参加局１００３において視聴制限を行う場合に参加局１００３から送出されるＮＩＴ情報である。図１３では、変換前のＮＩＴ情報１３０１の番組情報から広域放送３の番組情報を削除し、変換後のＮＩＴ１３０２を生成している。また、以上のようなＮＩＴ変換を行うには、再送信信号からＮＩＴを抽出し、ＮＩＴを変換するＮＩＴ変換器が必要となる。図１２はＮＩＴ変換器の構成を示しており、１２００は６４ＱＡＭ変調された信号を復調する６４ＱＡＭ復調部、１２１０は復調された信号からＮＩＴを抽出し、新しいＮＩＴに変換するＮＩＴ変換部、１２２０は変換後のＮＩＴとその他の信号を再度６４ＱＡＭ変調し、ＣＡＴＶ網へ送出する６４ＱＡＭ変調部、１２３０は６４ＱＡＭ復調部１２００、ＮＩＴ変換部１２１０、６４ＱＡＭ変調部１２３０を制御する制御部である（例えば、非特許文献１）。
【０００６】
図１１は再送信設備を共同利用し信号配信する場合に、参加局にＮＩＴ変換器を設置した場合のシステム構成の一例である。１１０１〜１１０３は再送信装置で、信号配信局１１４１に設置され広域放送１〜３をＣＡＴＶに適したフォーマットで再送信する装置であり、１１１０は再送信装置１１０１〜１１０３の制御を行う管理装置、１１２１は参加局１１４２に設置され、信号配信局１１４１からのすべての信号毎に設置され、ＮＩＴの変換を行うＮＩＴ変換器であり、１１１１はＮＩＴ変換器１１２１の制御を行う管理装置である。また、１１３１は信号配信局内に設置されるＣＡＴＶ再送信に対応した受信機、１１３２は参加局内に設置されるＣＡＴＶ再送信に対応した受信機である。
【０００７】
信号配信局１１４１からの再送信信号を参加局１１４２で受信し、ＮＩＴ変換器１１２１により再送信信号に含まれるＮＩＴを変換し、参加局のＣＡＴＶ網へ再度信号を送出する。これにより、信号配信局内の受信機１１３１に対し、受信機１１３２では一部の番組の視聴制限を行う運用が可能となっている。
【特許文献１】特開平１１−３５５７６６号公報
【非特許文献１】日本通信機株式会社、「ＭＯＤＥＬ  ８５５０−ＮＩＴ  ＣＯＮＶＥＲＴＥＲ［仕様書］」、［ｏｎｌｉｎｅ］、日本通信機株式会社、[平成１６年６月２日検索]、インターネット＜ＵＲＬ：ｈｔｔｐ：／／ｗｗｗ．ｎｉｔｓｕｋｉ．ｃｏｍ／ｊａ／ｐｒｏｄｕｃｔｓ／ｃａｔｖ／８５５０−ｎｉｔ＿ｃｏｎｖ−ｓｐｅｃ．ｈｔｍｌ＞
【発明の開示】
【発明が解決しようとする課題】
【０００８】
しかしながら、前記従来の構成では、ＮＩＴ変換を行うことで地域毎の運用に応じたＮＩＴに変換することができ、地域に応じた受信機での視聴を制御することが出来るが、参加局において再送信されるすべての信号毎に前記ＮＩＴ変換器を設置する必要があるなど、設備面、運用コスト面において実現は容易ではないという課題があった。
【０００９】
本発明は前記従来の課題を解決するもので、再送信設備を共同利用し信号配信する場合に、配信される信号に各参加局における番組配列情報をあらかじめ記載し、参加局においては受信機で自局に該当する番組配列情報を選択受信できるようにすることで、ＮＩＴ変換器などの設備の設置の必要がなく、容易かつ安価に再送信設備を共同利用したＣＡＴＶ再送信システムを提供することを目的とする。
【課題を解決するための手段】
【００１０】
前記従来の課題を解決するために、本発明のＣＡＴＶ再送信システムは、複数のエリアにデジタル放送を再送信する再送信装置と、再送信装置で受信したデジタル放送の番組配列情報を第二の番組配列情報に変換し再送信装置に設定する管理装置と、再送信装置から再送信されたデジタル放送を受信可能な受信機とを備えるＣＡＴＶ再送信システムにおいて、管理装置は各エリアに対応する番組配列情報を生成し、受信機はエリアに応じた番組配列情報が送出される再送信装置からの番組配列情報を選択取得する番組配列情報選択手段を備えることを特徴とする。
【００１１】
また、本発明のＣＡＴＶ再送信システムは、複数のエリアにデジタル放送を再送信する第一の再送信装置と、各エリア内においてローカルのデジタル放送を再送信する第二の再送信装置と、第一の再送信装置および第二の再送信装置が受信したデジタル放送の番組配列情報を第二の番組配列情報に変換し第一の再送信装置および第二の再送信装置に設定する管理装置と、第一の再送信装置および第二の再送信装置から再送信されたデジタル放送を受信可能な受信機とを備えるＣＡＴＶ再送信システムにおいて、管理装置は各エリアに対応する番組配列情報を生成し、受信機はエリアに応じた番組配列情報が送出される再送信装置からの番組配列情報を選択取得する番組配列情報選択手段を備えることを特徴とする。
【００１２】
本発明の一実施の形態において、前記管理装置は、生成したエリア毎の少なくとも１つ以上の第二の番組配列情報を、すべて再送信装置に設定し、再送信装置ではすべてのエリアに対応した第二の番組配列情報を送出することを特徴とする。
【００１３】
本発明の一実施の形態において、前記管理装置は、生成した少なくとも１つ以上の第二の番組配列情報のうち任意に指定可能な１つを選択して再送信装置に設定し、再送信装置では１つのエリアに対応した第二の番組配列情報のみを送出することを特徴とする。
【００１４】
本発明の一実施の形態において、前記管理装置が生成する第二の番組配列情報は、エリアへの対応付けを第二の番組配列情報のネットワークＩＤを指定して生成することを特徴とする。
【００１５】
本発明の一実施の形態において、前記受信機は、第二の番組配列情報の選択取得のために、第二の番組配列情報が送出される周波数を選択する番組配列情報取得周波数の選択手段と第二の番組配列情報のネットワークＩＤを選択する番組配列情報ネットワークＩＤ選択手段を備え、番組配列情報が送出される周波数と番組配列情報のネットワークＩＤの少なくとも１つを指定して取得することを特徴とする。
【００１６】
また、本発明の一実施の形態において、前記第二の番組配列情報は、ＮＩＴ（Ｎｅｔｗｏｒｋ  Ｉｎｆｏｒｍａｔｉｏｎ  Ｔａｂｌｅ）であることを特徴とする。
【００１７】
また、本発明の一実施の形態において、前記第二の番組配列情報は、ＥＩＴ（Ｅｖｅｎｔ  Ｉｎｆｏｒｍａｔｉｏｎ  Ｔａｂｌｅ）であることを特徴とする。
【００１８】
また、本発明の一実施の形態において、前記第二の番組配列情報は、ＳＤＴ（Ｓｅｒｖｉｃｅ  Ｄｅｓｃｒｉｐｔｉｏｎ  Ｔａｂｌｅ）であることを特徴とする。
【発明の効果】
【００１９】
本発明ＣＡＴＶ再送信システムによれば、デジタル放送の再送信設備を共同利用した信号配信において、信号配信局や参加局のサービス構成を柔軟に構成でき、特別な設備の必要もなく安価にＣＡＴＶ再送信システムを構築できる。
【発明を実施するための最良の形態】
【００２０】
以下、本発明の実施の形態を、図面を参照しながら説明する。
【００２１】
（実施の形態１）
本発明の実施の形態１として、再送信設備を共同利用した信号配信において、地域毎に異なる放送サービスを提供する発明について説明する。
【００２２】
図１は、本発明の実施の形態におけるデジタル放送の再送信システムの構成である。図１において、１３０はデジタル放送をＣＡＴＶ再送信する再送信システムを有し、再送信信号を他のＣＡＴＶ局へ配信する信号配信局、１４２は、信号配信局１３０からの信号を自局のＣＡＴＶ網へ配信するとともに、ローカル放送４を自局のエリア地域Ｂに再送信する参加局、１４１は信号配信局１３０からの信号のうち一部のみを自局のＣＡＴＶ網へ配信するとともに、ローカル放送３‘を自局の地域Ｃに再送信する参加局、１０１〜１０３は信号配信局１３０に設置され広域放送１〜３をＣＡＴＶに適したフォーマットに変換し再送信する再送信装置、１０４は参加局１４１に設置され、ローカル放送３’をＣＡＴＶに適したフォーマットに変換し再送信する再送信装置、１０５は参加局１４２に設置され、ローカル放送４をＣＡＴＶに適したフォーマットに変換し再送信する再送信装置、１１０は再送信装置１０１〜１０３を制御し、また再送信装置１０４〜１０５のＮＩＴを取得する手段を設けた管理装置、１２１〜１２３はそれぞれの地域に設置されたＣＡＴＶ再送信に対応した受信機である。
【００２３】
また、図２は地域Ａ、Ｂ、Ｃでの放送内容の一覧を示す図であり、図中の○印が各地域において対象となる放送を示している。
【００２４】
ここでデジタル放送の再送信の基本動作について、図３を用いて説明する。図３において、３００はデジタル放送をＣＡＴＶに適したフォーマットに変換し再送信する再送信装置、３１０は再送信装置３００を制御する管理装置、３２０はＣＡＴＶ再送信に対応した受信機である。管理装置３１０はデジタル放送を再送信する場合に、再送信装置３００からデジタル放送に含まれる番組選局情報であるＮＩＴを収集する。管理装置３１０では、収集したＮＩＴ情報を再送信先の運用状態に合わせて変換し、ＣＡＴＶ用ＮＩＴを生成、再送信装置３００に設定する。再送信装置３００ではデジタル放送の番組と、管理装置３１０から設定されたＣＡＴＶ用ＮＩＴをＣＡＴＶでの伝送周波数で送出する。受信機３２０ではＣＡＴＶ用ＮＩＴが伝送される周波数を指定し、ＣＡＴＶ用ＮＩＴを取得、番組を視聴する。
【００２５】
まず、図１における信号配信局１３０に設置された管理装置１１０の詳細動作について説明する。管理装置１１０は自局に設置された再送信装置１０１〜１０３が受信している広域放送１〜３のＮＩＴ情報を取得する。遠隔地にある参加局に設置されている再送信装置１０４〜１０５で受信しているローカル放送のＮＩＴ情報については、電話回線などの通信回線を用いてローカル放送３‘およびローカル放送４のＮＩＴ情報を取得する。なお通信回線は電話回線などとしたが、通信回線の種類はここでは問わない。また通信回線を用いないでも、記録媒体等に記録し受け渡す方法などでも良い。管理装置１０１におけるＣＡＴＶ用ＮＩＴの生成は、図４および図２を用いて説明する。図２は各地域における受信機で視聴対象となる放送の一覧を示し、図中の○が放送対象を示す。
【００２６】
図４はＣＡＴＶ用ＮＩＴ生成における処理フローである。Ｓ４００は再送信装置１０１〜１０５で受信したＮＩＴを管理装置１１０で収集するステップ、Ｓ４１０は再送信装置１０１〜１０５がＣＡＴＶへ再送信する際の再送信周波数を決定するステップ、Ｓ４２０以降、Ｓ４３１〜Ｓ４３３、Ｓ４４１〜Ｓ４４３はＣＡＴＶ用ＮＩＴ生成ステップ、Ｓ４５１〜Ｓ４５３は生成したＣＡＴＶ用ＮＩＴを再送信装置１０１〜１０３のどの装置に設定するかを決定するステップ、Ｓ４６０は管理装置１１０から再送信装置１０１〜１０３へＣＡＴＶ用ＮＩＴを設定するステップである。なお、ＣＡＴＶ用ＮＩＴの生成において、ＮＩＴ中には放送のネットワークＩＤを記述しているが、本実施の形態ではすべての地域用のＣＡＴＶ用ＮＩＴにおいて同一のネットワークＩＤを用いている。
【００２７】
まず、地域Ａ用のＣＡＴＶ用ＮＩＴの生成について説明する。地域Ａの受信機では図２のように広域放送１〜３のみが視聴できれば良い。図４においてＳ４３１で地域Ａのサービス対象の判定が真となるのは広域放送１〜３であり、Ｓ４４１で生成されるＣＡＴＶ用ＮＩＴに記述される情報は広域放送１〜３の情報であり、ローカル放送４およびローカル放送３‘の情報は記述されない。
【００２８】
同様に地域Ｂ用のＣＡＴＶ用ＮＩＴの生成について説明する。地域Ｂの受信機では図２のように広域放送１〜３に加えてローカル放送４が視聴できれば良い。図４においてＳ４３２で地域Ｂのサービス対象の判定が真となるのは広域放送１〜３およびローカル放送４であり、Ｓ４４２で生成されるＣＡＴＶ用ＮＩＴに記述される情報は広域放送１〜３およびローカル放送４の情報であり、ローカル放送３‘の情報は記述されない。
【００２９】
同様に地域Ｃ用のＣＡＴＶ用ＮＩＴの生成について説明する。地域Ｃの受信機では図２のように広域放送１〜２および広域放送３のかわりに系列局であるローカル放送３‘が視聴できれば良い。図４においてＳ４３３で地域Ｃのサービス対象の判定が真となるのは広域放送１〜２およびローカル放送３’であり、Ｓ４４３で生成されるＣＡＴＶ用ＮＩＴに記述される情報は広域放送１〜２およびローカル放送３‘の情報であり、広域放送３およびローカル放送４の情報は記述されない。以上で各地域用の３種類のＣＡＴＶ用ＮＩＴが管理装置１１０で生成できる。
【００３０】
次に前記までで生成したＣＡＴＶ用ＮＩＴをどの再送信装置１０１〜１０３から送出するかを図４のＳ４５１〜Ｓ４５３のステップで決定する。１台の再送信装置へ設定できるＣＡＴＶ用ＮＩＴは１つのみである。ここでは、Ｓ４４１で生成した地域Ａ用のＣＡＴＶ用ＮＩＴを再送信装置１０１へ、Ｓ４４２で生成した地域Ｂ用のＣＡＴＶ用ＮＩＴを再送信装置１０２へ、Ｓ４４３で生成した地域Ｃ用のＣＡＴＶ用ＮＩＴを再送信装置１０３へ設定するように決定する。Ｓ４６０で決定した内容により、管理装置１１０は再送信装置１０１〜１０３へＣＡＴＶ用ＮＩＴを設定する。
【００３１】
再送信装置１０１〜１０３は管理装置１１０から設定されたＣＡＴＶ用ＮＩＴと再送信する放送を多重し、ＣＡＴＶ網へ送出する。再送信装置１０１〜１０３から送出されるＣＡＴＶ用ＮＩＴの詳細について図６を用いて説明する。図６において、６０１は図１の１０１に相当する再送信装置、６０２は１０２に相当する再送信装置、６０３は１０３に相当する再送信装置、６１１は地域Ａ用のＣＡＴＶ用ＮＩＴ、６１２は地域Ｂ用のＣＡＴＶ用ＮＩＴ、６１３は地域Ｃ用のＣＡＴＶ用ＮＩＴである。管理装置１１０からＣＡＴＶ用ＮＩＴが設定されると再送信装置は、放送の再送信を行うと同時に、設定されたＣＡＴＶ用ＮＩＴも送出する。図６の再送信装置６０１は地域Ａ用のＣＡＴＶ用ＮＩＴを設定しているので地域Ａ用のＣＡＴＶ用ＮＩＴを、同様に再送信装置６０２は地域Ｂ用、再送信装置６０３は地域Ｃ用を送出することになる。
【００３２】
次に各地域に設置された受信機１２１〜１２３の動作について説明する。受信機１２１〜１２３は、ＣＡＴＶ用ＮＩＴが伝送される周波数を指定することで、ＣＡＴＶ用ＮＩＴを選択的に受信できる。図８は各地域での受信機の選局設定内容および受信機のＮＩＴ取得部の構成である。８０１は６４ＱＡＭ変調された信号を復調する６４ＱＡＭ復調部、８０２はＮＩＴ取得周波数を選択し、６４ＱＡＭ復調部を制御するＮＩＴ取得周波数選択部、８０３は復調された信号からＮＩＴを抽出するＮＩＴ取得部である。
【００３３】
地域Ａに設置された受信機１２１は、再送信装置１０１が送出する周波数（図６における周波数Ａ）をＮＩＴ取得周波数選択部８０２で設定する。６４ＱＡＭ復調部８０１で復調された信号からＮＩＴ取得部８０３にて地域Ａ用のＣＡＴＶ用ＮＩＴを取得する。地域Ａ用のＮＩＴは広域放送１〜３の情報のみ記述されているため、地域Ａに設置された受信機１２１は広域放送１〜３のみが視聴可能となる。
【００３４】
同様に、地域Ｂの受信機１２３は再送信装置１０２が送出する信号（図６における周波数Ｂ）をＮＩＴ取得周波数選択部８０２で設定する。６４ＱＡＭ復調部８０１で復調された信号からＮＩＴ取得部８０３にて地域Ｂ用のＣＡＴＶ用ＮＩＴを取得する。地域Ｂ用のＮＩＴは広域放送１〜３およびローカル放送４の情報が記述されているため、地域Ｂに設置された受信機１２３は広域放送１〜３およびローカル放送４のみが視聴可能となる。
【００３５】
同様に、地域Ｃの受信機１２２は再送信装置１０３が送出する信号（図６における周波数Ｃ）をＮＩＴ取得周波数選択部８０２で設定する。６４ＱＡＭ復調部８０１で復調された信号からＮＩＴ取得部８０３にて地域Ｃ用のＣＡＴＶ用ＮＩＴを取得する。地域Ｃ用のＮＩＴは広域放送１〜２およびローカル放送３‘の情報が記述されているため、地域Ｃに設置された受信機１２２は広域放送１〜２およびローカル放送３’のみが視聴が可能となる。なお、本実施の形態では、各地域のＣＡＴＶ用ＮＩＴを広域放送を再送信する再送信装置１０１〜１０３から送出したが、地域Ｂ、地域Ｃ用のＣＡＴＶ用ＮＩＴについては、参加局に設置された再送信装置１０４、１０５から送出することもできる。
【００３６】
以上により、各地域に設置された受信機は自地域で視聴できる放送の情報をＣＡＴＶ用ＮＩＴが伝送される周波数を設定するだけで取得でき、デジタル放送の再送信設備を共同利用した信号配信において、ＮＩＴ変換器などの設備の設置が不要でシステムを安価に構成でき、かつ地域毎に異なる放送サービスを提供するなど柔軟な運用が可能となる。
【００３７】
（実施の形態２）
次に本発明の実施の形態１として、再送信設備を共同利用した信号配信において、地域毎に異なる放送サービスを提供する第２の発明について説明する。
【００３８】
図１は本実施の形態におけるＣＡＴＶ再送信システムの構成を示している。実施の形態１と同様にして、信号配信局１３０に設置された管理装置１１０は再送信装置１０１〜１０３が受信した広域放送１〜３のＮＩＴ情報、再送信装置１０５が受信したローカル放送４のＮＩＴ情報、再送信装置１０４が受信したローカル放送３‘のＮＩＴ情報を取得する。以下、管理装置１０１におけるＣＡＴＶ用ＮＩＴの生成について図５を用いて説明する。
【００３９】
図５は管理装置１１０におけるＣＡＴＶ用ＮＩＴ生成における処理フローである。Ｓ５００は再送信装置１０１〜１０５で受信したＮＩＴを管理装置１１０で収集するステップ、Ｓ５１０は再送信装置１０１〜１０５がＣＡＴＶへ再送信する際の再送信周波数を決定するステップとなる。Ｓ５２０以降、Ｓ５３１〜Ｓ５３３、Ｓ５４１〜Ｓ５４３、Ｓ５５１〜Ｓ５５３はＣＡＴＶ用ＮＩＴ生成ステップであり、Ｓ５３１〜Ｓ５３３は生成するＣＡＴＶ用ＮＩＴのネットワークＩＤを決定するステップ、Ｓ５４１〜Ｓ５４３は各地域において放送がサービスの対象となるかどうかを判定するステップ、Ｓ５５１〜Ｓ５５３はＣＡＴＶ用ＮＩＴに情報を追加するステップとなる。Ｓ５６０は生成したＣＡＴＶ用ＮＩＴを管理装置１０１が再送信装置１０１〜１０３に設定するステップである。
【００４０】
以降は実施の形態１と同様に地域毎のＣＡＴＶ用ＮＩＴの生成について説明する。図２は実施の形態１と同様、地域Ａ、Ｂ、Ｃでの放送内容の一覧を示す図であり、図中の○印が各地域において対象となる放送を示している。
【００４１】
まず、地域Ａ用のＣＡＴＶ用ＮＩＴの生成について説明する。地域Ａの受信機では図２のように広域放送１〜３のみが視聴できれば良い。図５において、Ｓ５３１で地域Ａ用のＣＡＴＶ用ＮＩＴのネットワークＩＤを決定する。ここではネットワークＩＤをＡとする。Ｓ５４１で地域Ａのサービス対象の判定が真となるのは広域放送１〜３であり、Ｓ５５１で生成されるＣＡＴＶ用ＮＩＴに記述される情報は広域放送１〜３の情報であり、ローカル放送４およびローカル放送３‘の情報は記述されない。
【００４２】
同様に地域Ｂ用のＣＡＴＶ用ＮＩＴの生成について説明する。地域Ｂの受信機では図２のように広域放送１〜３に加えてローカル放送４が視聴できれば良い。図５において、Ｓ５３２で地域Ｂ用のＣＡＴＶ用ＮＩＴのネットワークＩＤを決定する。ここではネットワークＩＤをＢとする。Ｓ５４２で地域Ｂのサービス対象の判定が真となるのは広域放送１〜３およびローカル放送４であり、Ｓ５５２で生成されるＣＡＴＶ用ＮＩＴに記述される情報は広域放送１〜３およびローカル放送４の情報であり、ローカル放送３‘の情報は記述されない。
【００４３】
同様に地域Ｃ用のＣＡＴＶ用ＮＩＴの生成について説明する。地域Ｃの受信機では図２のように広域放送１〜２および広域放送３のかわりに系列局であるローカル放送３‘が視聴できれば良い。図５において、Ｓ５３３で地域Ｃ用のＣＡＴＶ用ＮＩＴのネットワークＩＤを決定する。ここではネットワークＩＤをＣとする。Ｓ５４３で地域Ｃのサービス対象の判定が真となるのは広域放送１〜２およびローカル放送３’であり、Ｓ５５３で生成されるＣＡＴＶ用ＮＩＴに記述される情報は広域放送１〜２およびローカル放送３‘の情報であり、広域放送３およびローカル放送４の情報は記述されない。以上で各地域用の３種類のＣＡＴＶ用ＮＩＴが管理装置１１０で生成できる。
【００４４】
Ｓ５６０で管理装置１１０は再送信装置１０１〜１０３へ前記で生成した３種類のＣＡＴＶ用ＮＩＴをすべて設定する。
【００４５】
再送信装置１０１〜１０３は管理装置１１０から設定されたＣＡＴＶ用ＮＩＴと再送信する放送を多重し、ＣＡＴＶ網へ送出する。再送信装置１０１〜１０３から送出されるＣＡＴＶ用ＮＩＴの詳細について図７を用いて説明する。図７において、７０１は図１の１０１に相当する再送信装置、７０２は１０２に相当する再送信装置、７０３は１０３に相当する再送信装置、７１１は再送信装置７０１から周波数Ａで送出されるＣＡＴＶ用ＮＩＴ、７１２は再送信装置７０２から周波数Ｂで送出されるＣＡＴＶ用ＮＩＴ、７１３は再送信装置７０３から周波数Ｃで送出されるＣＡＴＶ用ＮＩＴである。管理装置１１０からＣＡＴＶ用ＮＩＴが設定されると再送信装置は、放送の再送信を行うと同時に、設定されたＣＡＴＶ用ＮＩＴも送出する。図７の再送信装置７０１〜７０３はすべて同じＣＡＴＶ用ＮＩＴを送出する。
【００４６】
次に各地域に設置された受信機１２１〜１２３の動作について説明する。受信機１２１〜１２３は、ＣＡＴＶ用ＮＩＴが伝送される周波数とＮＩＴのネットワークＩＤを指定することで、ＣＡＴＶ用ＮＩＴを選択的に受信できる。図９は各地域での受信機の選局設定内容および受信機のＮＩＴ取得部の構成である。９０１は６４ＱＡＭ変調された信号を復調する６４ＱＡＭ復調部、９０２はＮＩＴ取得周波数を選択し、６４ＱＡＭ復調部を制御するＮＩＴ取得周波数選択部、９０３は復調された信号からＮＩＴを抽出するＮＩＴ取得部、９０４はＮＩＴ取得部９０３に対して選択するＮＩＴのネットワークＩＤを指定するネットワークＩＤ選択部である。
【００４７】
地域Ａに設置された受信機１２１は、再送信装置１０１が送出する周波数（図７における周波数Ａ）をＮＩＴ取得周波数選択部９０２で設定する。またネットワークＩＤ選択部９０４によりＮＩＴ取得のためのネットワークＩＤ：Ａを選択する。６４ＱＡＭ復調部９０１で復調された信号からＮＩＴ取得部９０３にて地域Ａ用のＣＡＴＶ用ＮＩＴ（ネットワークＩＤ：Ａ）を取得する。地域Ａ用のＮＩＴは広域放送１〜３の情報のみ記述されているため、地域Ａに設置された受信機１２１は広域放送１〜３のみが視聴可能となる。
【００４８】
同様に、地域Ｂの受信機１２３は再送信装置１０２が送出する信号（図７における周波数Ａ）をＮＩＴ取得周波数選択部９０２で設定する。またネットワークＩＤ選択部９０４によりＮＩＴ取得のためのネットワークＩＤ：Ｂを選択する。６４ＱＡＭ復調部９０１で復調された信号からＮＩＴ取得部９０３にて地域Ｂ用のＣＡＴＶ用ＮＩＴ（ネットワークＩＤ：Ｂ）を取得する。地域Ｂ用のＮＩＴは広域放送１〜３およびローカル放送４の情報が記述されているため、地域Ｂに設置された受信機１２３は広域放送１〜３およびローカル放送４のみが視聴可能となる。
【００４９】
同様に、地域Ｃの受信機１２２は再送信装置１０３が送出する信号（図７における周波数Ａ）をＮＩＴ取得周波数選択部９０２で設定する。またネットワークＩＤ選択部９０４によりＮＩＴ取得のためのネットワークＩＤ：Ｃを選択する。６４ＱＡＭ復調部９０１で復調された信号からＮＩＴ取得部９０３にて地域Ｃ用のＣＡＴＶ用ＮＩＴ（ネットワークＩＤ：Ｃ）を取得する。地域Ｃ用のＮＩＴは広域放送１〜２およびローカル放送３‘の情報が記述されているため、地域Ｃに設置された受信機１２２は広域放送１〜２およびローカル放送３’のみが視聴が可能となる。
【００５０】
以上により、各地域に設置された受信機は自地域で視聴できる放送の情報をＣＡＴＶ用ＮＩＴが伝送される周波数とＮＩＴのネットワークＩＤを設定することにより取得できるようになり、デジタル放送の再送信設備を共同利用した信号配信において、ＮＩＴ変換器などの設備の設置が不要でシステムを安価に構成でき、かつ地域毎に異なる放送サービスを提供するなど柔軟な運用が可能となる。
【００５１】
なお、本実施の形態では、ＮＩＴ取得周波数選択部９０２で指定した周波数はすべての地域で同一としたが、実施の形態１の例で示したように周波数指定を各受信機で異なるように設定してＮＩＴを取得する方法と組み合わせて運用することももちろん可能である。
【産業上の利用可能性】
【００５２】
本発明のＣＡＴＶ再送信システムは、デジタル放送の再送信設備を共同利用した信号配信において、信号配信局や信号受信局のサービス構成を柔軟に構成でき、特別な設備の必要もなく安価にシステムを構築でき、ＣＡＴＶ再送信システムとして有用である。また、加入者の契約内容に応じた受信機での視聴制限などの用途にも応用できる。
【図面の簡単な説明】
【００５３】
【図１】実施の形態としてのＣＡＴＶ再送信システムの構成を示す図
【図２】各地域におけるサービス対象となる放送の一覧を示す図
【図３】管理装置におけるＮＩＴの変換を示す図
【図４】実施の形態１における管理装置でのＣＡＴＶ用ＮＩＴ生成シーケンスを示す図
【図５】実施の形態２における管理装置でのＣＡＴＶ用ＮＩＴ生成シーケンスを示す図
【図６】実施の形態１における再送信装置から送出されるＣＡＴＶ用ＮＩＴの構造を示す図
【図７】実施の形態２における再送信装置から送出されるＣＡＴＶ用ＮＩＴの構造を示す図
【図８】実施の形態１における地域毎の受信機における選局設定状態および受信機のＮＩＴ取得部の構成を示す図
【図９】実施の形態２における地域毎の受信機における選局設定状態および受信機のＮＩＴ取得部の構成を示す図
【図１０】ＣＡＴＶ再送信における再送信設備の共同利用に関するシステムの構成を示す図
【図１１】背景技術に関するＣＡＴＶ再送信システムの構成を示す図
【図１２】ＮＩＴ変換器の構成を示す図
【図１３】ＮＩＴ変換器で変換されるＮＩＴの一例を示す図
【符号の説明】
【００５４】
１０１    広域放送を再送信する再送信装置
１０２    広域放送を再送信する再送信装置
１０３    広域放送を再送信する再送信装置
１０４    ローカル放送を再送信する再送信装置
１０５    ローカル放送を再送信する再送信装置
１１０    管理装置
１２１    受信機
１２２    受信機
１２３    受信機
３００    再送信装置
３１０    管理装置
３２０    受信機
６０１    再送信装置
６０２    再送信装置
６０３    再送信装置
６１１    ＣＡＴＶ用ＮＩＴ情報
６１２    ＣＡＴＶ用ＮＩＴ情報
６１３    ＣＡＴＶ用ＮＩＴ情報
７０１    再送信装置
７０２    再送信装置
７０３    再送信装置
７１１    ＣＡＴＶ用ＮＩＴ情報
７１２    ＣＡＴＶ用ＮＩＴ情報
７１３    ＣＡＴＶ用ＮＩＴ情報
８０１    ６４ＱＡＭ復調部
８０２    ＮＩＴ取得周波数選択部
８０３    ＮＩＴ取得部
９０１    ６４ＱＡＭ復調部
９０２    ＮＩＴ取得周波数選択部
９０３    ＮＩＴ取得部
９０４    ネットワークＩＤ選択部
１００１    信号配信局
１００２    参加局
１００３    参加局
１０１０    再送信装置
１０１１    再送信装置
１０１２    再送信装置
１０１３    再送信装置
１０２１    受信機
１０２２    受信機
１０２３    受信機
１１０１    再送信装置
１１０２    再送信装置
１１０３    再送信装置
１１０４    再送信装置
１１０５    再送信装置
１１１０    管理装置
１１１１    管理装置
１１１２    管理装置
１１２１    ＮＩＴ変換器
１１２２    ＮＩＴ変換器
１１３１    受信機
１１３２    受信機
１１３３    受信機
１２００    ６４ＱＡＭ復調部
１２１０    ＮＩＴ変換部
１２２０    ６４ＱＡＭ変調部
１２３０    制御部
１３０１    変換前のＮＩＴ情報
１３０２    変換後のＮＩＴ情報
【図１】
2005354337.tif 000003
【図２】
2005354337.tif 000004
【図３】
2005354337.tif 000005
【図４】
2005354337.tif 000006
【図５】
2005354337.tif 000007
【図６】
2005354337.tif 000008
【図７】
2005354337.tif 000009
【図８】
2005354337.tif 000010
【図９】
2005354337.tif 000011
【図１０】
2005354337.tif 000012
【図１１】
2005354337.tif 000013
【図１２】
2005354337.tif 000014
【図１３】
2005354337.tif 000015